(57)【要約】【課題】収容室内の明るさ感を向上させるとともに、収容室内の物品を見やすくする。【解決手段】冷蔵庫１は、手前側Ｆに開口部を有し物品を収容する収容室２と、収容室２の内側に設けられて収容室２を照らす照明部６０とを備える。そして、照明部６０は、発光するＬＥＤ５３と、ＬＥＤ５３からの光を収容室２の奥側Ｂに向けるとともに、ＬＥＤ５３からの光の手前側Ｆに向けた進行を防止するレンズ部材６５とを有する。【選択図】図５
2017106637.tif 000002
【特許請求の範囲】
【請求項１】
手前側に開口部を有し物品を収容する収容室と、
前記収容室の内側に設けられて当該収容室を照らす照明部と、を備え、
前記照明部は、
発光する発光素子と、
前記発光素子からの光を前記収容室の奥側に向けるとともに、当該発光素子からの光の前記手前側に向けた進行を防止する光学部材と、を有することを特徴とする冷蔵庫。
【請求項２】
前記光学部材は、前記収容室の側面部または上面部に対する垂直軸から２０°以上６０°以下に最大輝度が生じるように配光を制御することを特徴とする請求項１に記載の冷蔵庫。
【請求項３】
前記光学部材は、最大輝度となる光線を回転対称とする配光パターンを形成することを特徴とする請求項１に記載の冷蔵庫。
【請求項４】
前記光学部材は、配光角が狭角となるように配光を制御することを特徴とする請求項３に記載の冷蔵庫。
【請求項５】
前記光学部材は、前記収容室の側面部または上面部と直交する方向において照度が等しくなるように配光を制御することを特徴とする請求項１に記載の冷蔵庫。
【請求項６】
手前側に開口部を有し物品を収容する収容室と、
発光する発光素子と、当該発光素子からの光を前記収容室の奥側に向けるとともに、当該発光素子からの光の前記手前側に向けた進行を防止する光学部材とを有し、当該収容室内を照らす照明部と、
を備え、
前記照明部は、少なくとも、前記収容室の側面部における前記手前側と、当該側面部における前記奥側とに設けられることを特徴とする冷蔵庫。
【請求項７】
前記光学部材は、前記収容室の前記側面部に対する垂直軸に対して３０°以上６０°以下の範囲内に最大輝度が生じるように配光を制御することを特徴とする請求項６に記載の冷蔵庫。
【請求項８】
前記発光素子の基板は、前記収容室の前記側面部に沿って設けられることを特徴とする請求項６に記載の冷蔵庫。
【請求項９】
前記光学部材は、前記収容室の前記側面部に直交する面における照度が等しくなるように配光を制御することを特徴とする請求項６に記載の冷蔵庫。
【請求項１０】
発光する発光素子と、
前記発光素子からの光を収容室の一方側に向けるとともに、当該発光素子からの光の他方側に向けた進行を抑制する光学部材と、
を備え、
前記光学部材は、前記発光素子の光を拡散する第１拡散部と、当該第１拡散部と比較して光の拡散度が大きく設定されるとともに前記一方側と前記他方側との方向に対する垂直軸に対して予め定められた角度を有して当該第１拡散部と並べて設けられる第２拡散部と、を備えることを特徴とする照明装置。
【請求項１１】
前記発光素子は、前記一方側から前記他方側に向けて光を照射し、
前記発光素子からの光を前記収容室側に向けて反射する反射部材と、
前記発光素子の前記他方側に設けられ、当該発光素子が発した光のうち前記収容室側に向かう光を前記反射部材に向けて進行させる制御部材と、
を備えることを特徴とする請求項１０に記載の照明装置。
【請求項１２】
前記反射部材は、前記発光素子から遠い側における反射面の前記発光素子の光軸に対して成す角度が、当該発光素子に近い側における反射面の当該光軸に対して成す角度と比較して大きいことを特徴とする請求項１１に記載の照明装置。
【請求項１３】
前記第１拡散部は、前記発光素子と対向する側に、前記予め定められた角度と直交する面を有することを特徴とする請求項１０に記載の照明装置。
【請求項１４】
前記発光素子からの光を前記収容室側に向けて反射する反射部材と、
前記発光素子が発した光のうち前記収容室側に向かう光を、前記反射部材に向けて反射する第２反射部材を備えることを特徴とする請求項１０に記載の照明装置。
【請求項１５】
発光する発光素子と、
前記発光素子からの光を収容室の一方側に向けるとともに、当該発光素子からの光の他方側に向けた進行を抑制する光学部と、
前記発光素子に対向して設けられ、当該発光素子が発する光の波長を変換する波長変換部と、
前記波長変換部に隣り合って設けられ、前記発光素子が発する光を当該波長変換部に通過させずに進行させる非通過部と、
を備えることを特徴とする照明装置。
【請求項１６】
前記波長変換部と前記発光素子との間に形成される第１空間部と、
前記波長変換部に対して当該第１空間部の反対側に形成される第２空間部と、を備え、
前記第１空間部の断面積は、前記第２空間部の断面積と比較して小さく形成されることを特徴とする請求項１５に記載の照明装置。
【請求項１７】
前記非通過部は、前記光学部と前記波長変換部との間に形成されることを特徴とする請求項１５または１６に記載の照明装置。
【請求項１８】
発光する発光素子と、
前記発光素子からの光を収容室の一方側に向けるとともに、当該発光素子からの光の他方側に向けた進行を抑制する光学部と、
前記発光素子に対向して設けられ、当該発光素子から入射した光を透過する透過部と、
前記透過部の前記発光素子が配置される側とは反対側に設けられ、当該透過部に入射した光の波長を変換する波長変換部と、
前記透過部に形成され、当該透過部に入射した光を、前記波長変換部に通過させずに当該透過部から出力させる出力部と、
を備えることを特徴とする照明装置。
【請求項１９】
前記透過部は、前記発光素子の光軸に対して傾斜する傾斜部を有していることを特徴とする請求項１８に記載の照明装置。
【請求項２０】
前記出力部は、光の拡散度が、前記傾斜部と比較して大きいことを特徴とする請求項１９に記載の照明装置。
【発明の詳細な説明】
【技術分野】
【０００１】
本発明は、冷蔵庫および照明装置に関する。
【背景技術】
【０００２】
例えば特許文献１には、貯蔵品を載置する積載棚が設けられている冷蔵室と、冷蔵室内の天井側に設けられ、光を照射する複数の発光ダイオードと、を備える冷蔵庫が記載されている。そして、複数の発光ダイオードは、その光軸が冷蔵室の前面側に向けられているとともに、最上段の積載棚と交差するように配置されている。
【先行技術文献】
【特許文献】
【０００３】
【特許文献１】特開２０１２−２６６７８号公報
【発明の概要】
【発明が解決しようとする課題】
【０００４】
ところで、従来の例えば冷蔵庫においては、収容室内が暗く感じる場合があった。そして、例えば収容室に設けられる照明の輝度を単に大きくしても、ユーザがまぶしく感じる可能性があった。その場合に、収容室内の物品が見えにくくなるおそれがあった。
【０００５】
本発明は、収容室内の明るさ感を向上させるとともに、収容室内の物品を見やすくすることを目的とする。
【課題を解決するための手段】
【０００６】
上記の目的を達成する本発明の冷蔵庫は、手前側に開口部を有し物品を収容する収容室と、収容室の内側に設けられて収容室を照らす照明部を備える。照明部は、発光する発光素子を備える。また、照明部は、発光素子からの光を収容室の奥側に向けるとともに、発光素子からの光の手前側に向けた進行を防止する光学部材を備える。
ここで、発光素子は、収容室の手前側から奥側に向けて複数並べて配置される。
また、光学部材は、収容室の側面部または上面部に対する垂直軸から２０°以上６０°以下に最大輝度が生じるように配光を制御する。
そして、光学部材は、最大輝度となる光線を回転対称とする配光パターンを形成する。
さらに、光学部材は、配光角が狭角となるように配光を制御する。
また、発光素子の基板は、収容室の側面部または上面部に沿って設けられる。
さらにまた、光学部材は、収容室の側面部または上面部と直交する方向において照度が等しくなるように配光を制御する。
そして、照明部は、収容室の上面部に設けられる。
さらに、冷蔵庫は、固定部により固定され、物品を載せる棚をさらに備える。そして、照明部は、固定部に設けられる。
【０００７】
また、上記の目的を達成する本発明の冷蔵庫は、手前側に開口部を有し物品を収容する収容室と、収容室内を照らす照明部とを備える。そして、照明部は、発光する発光素子を備える。また、照明部は、発光素子からの光を収容室の奥側に向けるとともに、発光素子からの光の手前側に向けた進行を防止する光学部材を備える。さらに、照明部は、少なくとも、収容室の側面部における手前側と、側面部における奥側とに設けられる。
ここで、発光素子は、収容室の上下方向に複数並べて配置される。
そして、光学部材は、収容室の側面部に対する垂直軸に対して３０°以上６０°以下の範囲内に最大輝度が生じるように配光を制御する。
また、発光素子の基板は、収容室の側面部に沿って設けられる。
さらに、光学部材は、収容室の側面部に直交する面における照度が等しくなるように配光を制御する。
そして、照明部は、収容室の上面部にさらに設けられる。
【０００８】
さらに、上記の目的を達成する本発明の照明装置は、発光する発光素子を備える。また、照明装置は、発光素子からの光を収容室の一方側に向けるとともに、発光素子からの光の他方側に向けた進行を抑制する光学部材を備える。そして、光学部材は、発光素子の光を拡散する第１拡散部を備える。また、光学部材は、第１拡散部と比較して光の拡散度が大きく設定されるとともに一方側と他方側との方向に対する垂直軸に対して予め定められた角度を有して第１拡散部と並べて設けられる第２拡散部を備える。
ここで、発光素子は、一方側から他方側に向けて光を照射する。また、照明装置は、発光素子からの光を収容室側に向けて反射する反射部材を備える。さらに、照明装置は、発光素子の他方側に設けられ、発光素子が発した光のうち収容室側に向かう光を反射部材に向けて進行させる制御部材を備える。
また、反射部材は、発光素子から遠い側における反射面の発光素子の光軸に対して成す角度が、発光素子に近い側における反射面の光軸に対して成す角度と比較して大きい。
そして、第１拡散部は、発光素子と対向する側に、予め定められた角度と直交する面を有する。
また、照明装置は、発光素子からの光を収容室側に向けて反射する反射部材を備える。照明装置は、発光素子が発した光のうち収容室側に向かう光を、反射部材に向けて反射する第２反射部材を備える。
さらにまた、上記の目的を達成する本発明の冷蔵庫は、手前側に開口部を有し物品を収容する収容室と、収容室内を照らす照明部とを備える。そして、照明部は、発光する発光素子を備える。また、照明部は、発光素子からの光を収容室の奥側に向けるとともに、発光素子からの光の手前側に向けた進行を抑制する光学部材を備える。光学部材は、発光素子の光を拡散する第１拡散部を備える。また、光学部材は、第１拡散部と比較して光の拡散度が大きく設定されるとともに収容室の側面部または上面部に対する垂直軸に対して予め定められた角度を有し第１拡散部と並べて設けられる第２拡散部を備える。
【０００９】
さらに、上記の目的を達成する本発明の照明装置は、発光する発光素子を備える。また、照明装置は、発光素子からの光を収容室の一方側に向けるとともに、発光素子からの光の他方側に向けた進行を抑制する光学部を備える。さらに、照明装置は、発光素子に対向して設けられ、発光素子が発する光の波長を変換する波長変換部を備える。そして、照明装置は、波長変換部に隣り合って設けられ、発光素子が発する光を波長変換部に通過させずに進行させる非通過部を備える。
また、波長変換部と発光素子との間に形成される第１空間部と、波長変換部に対して第１空間部の反対側に形成される第２空間部と、を備える。そして、第１空間部の断面積は、第２空間部の断面積と比較して小さく形成される。
さらに、非通過部は、光学部と波長変換部との間に形成される。
【００１０】
さらに、上記の目的を達成する本発明の照明装置は、発光する発光素子を備える。また、照明装置は、発光素子からの光を収容室の一方側に向けるとともに、発光素子からの光の他方側に向けた進行を抑制する光学部を備える。また、照明装置は、発光素子に対向して設けられ、発光素子から入射した光を透過する透過部を備える。さらに、照明装置は、透過部の発光素子が配置される側とは反対側に設けられ、透過部に入射した光の波長を変換する波長変換部を備える。そして、照明装置は、透過部に形成され、透過部に入射した光を、波長変換部に通過させずに透過部から出力させる出力部を備える。
そして、透過部は、発光素子の光軸に対して傾斜する傾斜部を有している。
また、透過部は、発光素子の光軸に沿って形成される側部を有している。
さらに、出力部は、光の拡散度が、傾斜部と比較して大きい。
【発明の効果】
【００１１】
本発明によれば、収容室内の明るさ感を向上させるとともに、収容室内の物品を見やすくすることができる。
【図面の簡単な説明】
【００１２】
【図１】実施形態１の冷蔵庫の全体構成図である。
【図２】（ａ）および（ｂ）は、実施形態１の照明部の全体構成図である。
【図３】（ａ）および（ｂ）は、実施形態１のレンズ部材の説明図である。
【図４】実施形態１の照明部の前後方向における特性の説明図である。
【図５】実施形態１の照明部の作用の説明図である。
【図６】実施形態２の冷蔵庫の全体構成図である。
【図７】（ａ）および（ｂ）は、実施形態２の照明部の全体構成図である。
【図８】（ａ）および（ｂ）は、実施形態２のレンズ部材の説明図である。
【図９】実施形態２の照明部の前後方向における光特性の説明図である。
【図１０】（ａ）および（ｂ）は、実施形態３の照明部の全体構成図である。
【図１１】（ａ）および（ｂ）は、実施形態４の照明部の全体構成図である。
【図１２】実施形態５の照明部の全体構成図である。
【図１３】実施形態５の照明部の説明図である。
【図１４】（ａ）および（ｂ）は、変形例１および変形例２の照明部の全体構成図である。
【図１５】（ａ）および（ｂ）は、変形例３および変形例４の照明部の全体構成図である。
【図１６】実施形態６の照明部の全体構成図である。
【図１７】実施形態６の照明部の説明図である。
【図１８】（ａ）および（ｂ）は、実施形態７の照明部の全体図である。
【図１９】実施形態７の照明部の説明図である。
【図２０】（ａ）および（ｂ）は、実施形態８の照明部の全体構成図である。
【図２１】実施形態８の発光部の説明図である。
【図２２】変形例５が適用される発光部の説明図である。
【発明を実施するための形態】
【００１３】
以下、添付図面を参照して、本発明の実施形態について詳細に説明する。
＜実施形態１＞
図１は、実施形態１の冷蔵庫１の全体構成図である。
実施形態１の冷蔵庫１は、図１に示すように、物品１００を収容する収容室２と、収容室２を開閉する扉３と、を備える。また、冷蔵庫１は、物品１００が載せられる棚４と、収容室２内を照らす照明６とを有する。また、冷蔵庫１は、収容室２内を冷却するための冷却器（不図示）と、冷気を収容室２に循環させるファン（不図示）とを有している。
【００１４】
なお、以下の説明では、図１に示す冷蔵庫１の前後方向の紙面手前側を単に「手前側Ｆ」、紙面奥側を単に「奥側Ｂ」と称する。また、図１に示す冷蔵庫１の左右方向の紙面左側を単に「左側Ｌ」と称し、紙面右側を単に「右側Ｒ」と称する。そして、図１に示す冷蔵庫１の上下方向の紙面上側を単に「上側Ｕ」と称し、紙面下側を単に「下側Ｄ」と称する。
【００１５】
収容室２は、左側Ｌに設けられる左側面部２Ｌと、右側Ｒに設けられる右側面部２Ｒと、を有する。また、収容室２は、上側Ｕに設けられる上面部２Ｕと、下側Ｄに設けられる下面部（不図示）と、奥側Ｂに設けられる背面部２Ｂと、を有する。さらに、収容室２は、手前側Ｆに設けられて開口する開口部２１を有する。そして、収容室２は、左側面部２Ｌ、右側面部２Ｒ、上面部２Ｕ、下面部（不図示）および背面部２Ｂによって、物品１００を収容する空間を形成する。
さらに、収容室２は、棚４を支持する突起部２２を有する。突起部２２は、収容室２の内側に向けて突出するとともに、手前側Ｆから奥側Ｂに向けて延びて形成される。そして、本実施形態では、突起部２２は、左側面部２Ｌと右側面部２Ｒとに一対に設けられる。
【００１６】
扉３は、本実施形態の冷蔵庫１では、左側Ｌに設けられる左側扉３Ｌと、右側Ｒに設けられる右側扉３Ｒと、を有している。右側扉３Ｒおよび左側扉３Ｌは、それぞれ収容室２の手前側Ｆにて回転可能に設けられる。そして、扉３は、開口部２１を開閉する。
【００１７】
棚４は、板状の部材であって、本実施形態では複数設けられる。また、棚４は、突起部２２に支持される。そして、棚４は、物品１００を載せるための面を収容室２内に形成する。
【００１８】
照明６は、左側面部２Ｌにおいて下側Ｄに設けられる左側第１照明部６０Ｌ１と、左側面部２Ｌにおいて上側Ｕに設けられる左側第２照明部６０Ｌ２とを有する。また、照明６は、右側面部２Ｒにおいて下側Ｄに設けられる右側第１照明部６０Ｒ１と、右側面部２Ｒにおいて上側Ｕに設けられる右側第２照明部６０Ｒ２とを有する。さらに、照明６は、上面部２Ｕにて左側Ｌに設けられる左側第３照明部６０Ｌ３と、上面部２Ｕにて右側Ｒに設けられる右側第３照明部６０Ｒ３とを有する。
【００１９】
なお、左側第１照明部６０Ｌ１、左側第２照明部６０Ｌ２、左側第３照明部６０Ｌ３、右側第１照明部６０Ｒ１、右側第２照明部６０Ｒ２および右側第３照明部６０Ｒ３は、それぞれ、基本構造が同じ構成になっている。また、以下の説明において、これらを特に区別しない場合には単に「照明部６０」と総称する。
【００２０】
図２は、実施形態１の照明部６０の全体構成図である。
なお、図２（ａ）には、照明部６０の一例として右側第１照明部６０Ｒ１を示す。また、図２（ｂ）には、図２（ａ）に示す照明部６０のIIｂ−IIｂ断面を示す。
図３は、実施形態１のレンズ部材６５の説明図である。
なお、図３（ａ）および図３（ｂ）は、それぞれ照明部６０を前後方向に沿って切断した場合の断面図である。
【００２１】
照明部６０は、図２（ａ）および図２（ｂ）に示すように、筐体５１と、筐体５１を覆うカバー部材５２とを有する。また、照明部６０は、光を発する複数のＬＥＤ（Light Emitting Diode）５３と、ＬＥＤ５３が実装される基板５４と、ＬＥＤ５３が発する光を制御するレンズ部材６５とを有する。
【００２２】
筐体５１は、図２（ｂ）に示すように、開口を有する箱状の部材である。筐体５１は、内側に、複数のＬＥＤ５３および基板５４を収納する。そして、筐体５１は、収容室２の例えば右側面部２Ｒなどに埋め込まれるようにして取り付けられる。
【００２３】
カバー部材５２は、図２（ｂ）に示すように、筐体５１の開口を塞ぐ。そして、カバー部材５２は、ＬＥＤ５３、基板５４およびレンズ部材６５を、筐体５１外部の雰囲気から遮断する。カバー部材５２の材料には、ＰＣ（ポリカーボネイト）、ＰＭＭＡ（ポリメタクリル酸メチル樹脂）などの樹脂、ガラスなどを用いることができる。さらに、本実施形態のカバー部材５２は、ＬＥＤ５３が発する光に対して透明に構成される。
なお、カバー部材５２は、拡散特性を有する白色を呈していたり、内側部または外側部にレンズカット加工や塗装加工などが施されたりしても良い。
【００２４】
ＬＥＤ５３は、収容室２に収容される物品１００を照らすことができれば、各種ＬＥＤを用いて構わない。本実施形態のＬＥＤ５３には、白色発光するものを用いることができる。より詳細には、本実施形態のＬＥＤ５３は、青色発光ダイオードと、青色の光を緑色に変換する蛍光材と、青色の光を赤色に変換する蛍光材とによって、白色発光を実現している。また、本実施形態では、ＬＥＤ５３は、その主面５３Ｓが、収容室２を構成する各面（例えば左側面部２Ｌや上面部２Ｕ等）に沿うように取り付けられる。
そして、ＬＥＤ５３から照射される主な発光方向は、収容室２を構成する各面に対して垂直な方向（以下、「垂直軸Ｓ」と称する）に沿った方向になる。
【００２５】
基板５４は、本実施形態では矩形状に形成される。そして、基板５４は、ＬＥＤ５３に電力を供給する。また、基板５４は、ＬＥＤ５３の発光を制御する図示しない制御部に電気的に接続されている。また、基板５４は、その主面５４Ｓが、収容室２を構成する各面（例えば左側面部２Ｌや上面部２Ｕ等）に沿うように取り付けられる。
【００２６】
なお、上述のとおり、本実施形態では、ＬＥＤ５３の主面５３Ｓや基板５４の主面５４Ｓが、収容室２を構成する各面（例えば左側面部２Ｌや上面部２Ｕ等）に沿うように設けられる。これにより、本実施形態では、照明部６０が収容室２の中心側に向けて突出する突出量を低減して、照明部６０のコンパクト化を図っている。
【００２７】
レンズ部材６５は、図２（ａ）および図２（ｂ）に示すように、複数（本実施形態では６個）のＬＥＤ５３に対してそれぞれ設けられる。そして、実施形態１では、単体のレンズ部材６５によって、単体のＬＥＤ５３の光を制御する。また、ＬＥＤ５３からの光を収容室２の奥側Ｂに向けるとともに、ＬＥＤ５３からの光の手前側Ｆに向けた進行を防止するように配光を制御する。
なお、本実施形態では、レンズ部材６５の材料には、ＰＣ（ポリカーボネイト樹脂）、ＰＭＭＡ（ポリメタクリル酸メチル樹脂）などの樹脂、ガラスなどを用いることができる。
また、本実施形態において、手前側Ｆに向けた光の進行を防止するとは、ＬＥＤ５３を通る垂直軸Ｓに対し、ＬＥＤ５３の光が手前側Ｆに０°よりも大きい角度を成して進行しないようにすることである。
さらに、以下では、単一のレンズ部材６５と単体のＬＥＤ５３とによって構成される単位を「光源６００」と称する。
【００２８】
レンズ部材６５は、図３（ａ）に示すように、断面において中空部６５Ｃを有する。そして、レンズ部材６５は、中空部６５Ｃの内側にＬＥＤ５３を収容する。なお、以下では、中空部６５Ｃ側の面をレンズ部材６５の「内面」、外側の面をレンズ部材６５の「外面」と呼ぶ。
【００２９】
そして、図３（ａ）に示すように、レンズ部材６５は、ＬＥＤ５３からの光を偏光させて配光を制御する領域として、大きく分けて、３つの領域を備えている。すなわち、レンズ部材６５は、奥側Ｂから手前側Ｆに向けて、第１領域６５１、第２領域６５２および第３領域６５３の順に複数の領域を備えている。
【００３０】
第１領域６５１は、ＬＥＤ５３に対して奥側Ｂに設けられる領域である。この第１領域６５１は、断面の概形が、内面および外面の両方とも略円弧形状に形成される。従って、ＬＥＤ５３から放射状に照射される光のうち、第１領域６５１に入射した光は、概ねＬＥＤ５３から放射される角度のまま奥側Ｂに向けて進行する。
【００３１】
第２領域６５２は、ＬＥＤ５３に対して手前側Ｆと奥側Ｂ方向とにおける略中央部に設けられる領域である。この第２領域６５２は、断面の概形が、内面および外面の両方とも、ＬＥＤ５３の主面５３Ｓに対して略平行に形成される。また、第２領域６５２の外面は、奥側Ｂから手前側Ｆにかけて突出高さが低くなるように緩やかに傾斜している。
従って、ＬＥＤ５３から放射状に照射される光のうち、第２領域６５２に入射した光は予め定められた屈折をして、奥側Ｂに向けて進行する。
【００３２】
第３領域６５３は、ＬＥＤ５３に対して手前側Ｆに設けられる領域である。この第３領域６５３の内面は、直線的であって基板５４に対して成す角度が鋭角になる形状をしている。さらに、第３領域６５３の外面は、円弧状であって、基板５４に対して成す角度が鋭角になる形状をしている。
従って、ＬＥＤ５３から放射状に照射される光のうち、第３領域６５３に入射した光は、外面側にて全反射し、手前側Ｆに向けて光が進行しない。
【００３３】
レンズ部材６５は、図３（ａ）に示すように、垂直軸Ｓに沿った仮想の面における照度が面内にて等しくなるようにしている。特に、本実施形態では、レンズ部材６５は、背面部２Ｂの左右方向において照度が等しくなるように配光を制御する。そして、本実施形態では、収容室２内の全域において、照度に偏りがなく全体として明るく感じられるようにしている。
【００３４】
そして、レンズ部材６５は、図３（ｂ）に示すように、最大輝度となる光線に沿った方向（以下、本実施形態では「光軸Ｂｍ」と称する。）が、垂直軸Ｓに対して２０°以上６０°以下になるように、ＬＥＤ５３からの光を制御する。
さらに、図３（ｂ）に示すように、本実施形態のレンズ部材６５は、光軸Ｂｍを中心として±３０°（狭角）の配光角を形成する。また、レンズ部材６５は、光軸Ｂｍを回転中心とした略円錐形状の配光パターンを形成する。すなわち、レンズ部材６５は、個々に独立して、各々がスポット的な光を照射するようになっている。
【００３５】
なお、レンズ部材６５の個数は、特に限定されるものではなく、ＬＥＤ５３の全光度や、冷蔵庫のサイズ等に応じて適宜設けるようにして構わない。
【００３６】
図４は、実施形態１の照明６の前後方向における特性の説明図である。
なお、図４には、照明部６０に設けられる各光源６００の光度の概念図を示している。
図４に示すように、照明部６０において、手前側Ｆに位置する光源６００の光度は、奥側Ｂに位置する光源６００の光度と比較して大きくなっている。一方で、照明部６０において、背面部２Ｂとなる奥側Ｂに位置する光源６００の光度は、手前側Ｆに位置する光源６００の光度と比較して小さくなっている。このように、実施形態１では、より手前側Ｆに位置する光源６００の光度を大きくし、より奥側Ｂに位置する光源６００の光度を小さくしている。
以上の構成によって、背面部２Ｂにおける照度が、背面部２Ｂの全域にわたって均一になるようにしている。
【００３７】
なお、実施形態１において、照明部６０は、手前側Ｆから奥側Ｂに向けて延びるように形成される。従って、照明部６０を、同様に手前側Ｆから奥側Ｂに向けて延びる突起部２２（図１参照）に埋め込むようにして取り付けても構わない。これによって、突起部２２では、棚４を受ける棚受けとしての機能と、照明部６０の一部を構成する機能とが併用される。
【００３８】
図５は、実施形態１の照明部６０の作用の説明図である。
続いて、実施形態１が適用される冷蔵庫１について、収容室２内における物品１００の見え方、収容室２内の明るさについて具体的に説明する。
本実施形態の照明部６０では、図５（ａ）に示すように、収容室２の手前側Ｆから奥側Ｂに向けて複数の光源６００が設けられる。従って、手前側Ｆに位置する光源６００により、手前側Ｆから物品１００が照らされる。これによって、物品１００が見やすくなる。ただし、物品１００が手前側Ｆの光源６００により照らされることで、物品１００よりも奥側Ｂに影が発生する。
【００３９】
これに対して、本実施形態では、図５（ｂ）に示すように、奥側Ｂにも、光源６００が配置されている。そして、この奥側Ｂに位置する光源６００により、物品１００の奥側Ｂの影が照らされる。その結果、収容室２全体として明るく感じられるようになる。特に、背面部２Ｂが明るくなるため、背面部２Ｂにおいて拡散反射した光により、ユーザが、全体として明るく感じられる。
なお、本実施形態では、図１に示すように、上面部２Ｕにおいても、手前側Ｆから奥側Ｂに向けて複数の光源６００が並べて設けられる左側第３照明部６０Ｌ３および右側第３照明部６０Ｒ３を有する。そして、これら左側第３照明部６０Ｌ３および右側第３照明部６０Ｒ３についても作用は同様である。
【００４０】
また、本実施形態の照明部６０は、垂直軸Ｓに対して光軸Ｂｍの角度が２０°以上６０°以下になるように設定している。そのため、照明部６０からの光は、主に、収容室２を形成する各面（背面部２Ｂ，左側面部２Ｌ，右側面部２Ｒ）にて複数回反射する。例えば、図５（ｂ）に破線の矢印で示すように、背面部２Ｂにて反射した光は、さらに右側面部２Ｒを照らす。そして、背面部２Ｂや右側面部２Ｒでは光が拡散反射する。従って、各面がより明るく感じられる。なお、各面においては拡散反射であり、ＬＥＤ５３から直接的に進行する光ではないため、これらの光はユーザをまぶしく感じさせない。
【００４１】
そして、本実施形態の冷蔵庫１では、各照明部６０から、ユーザが位置する手前側Ｆの開口部２１に向けてＬＥＤ５３の光が直接進行しないようになっている。そのため、実施形態１の冷蔵庫１では、ユーザがまぶしさを感じることが低減され、物品１００の見やすさがさらに向上する。
【００４２】
＜実施形態２＞
続いて、実施形態２が適用される冷蔵庫１について説明する。なお、実施形態２において、実施形態１と同様な構成については、同一の符号を付してその詳細な説明を省略する。
図６は、実施形態２の冷蔵庫１の全体構成図である。
実施形態２の冷蔵庫１は、図６に示すように、物品１００を収容する収容室２と、収容室２を開閉する扉３と、物品１００が載せられる棚４と、収容室２内を照らす照明５とを有する。また、冷蔵庫１は、収容室２内を冷却するための冷却器（不図示）と、冷気を収容室２に循環させるファン（不図示）とを有している。
つまり、実施形態２の冷蔵庫１は、照明５の構成が、実施形態１の照明６とは異なる。そこで、以下では、照明５について詳細に説明する。
【００４３】
照明５は、左側面部２Ｌにおける手前側Ｆに設けられる左側第１照明部５０Ｌ１と、左側面部２Ｌにおける奥側Ｂに設けられる左側第２照明部５０Ｌ２とを有する。また、照明５は、右側面部２Ｒにおける手前側Ｆに設けられる右側第１照明部５０Ｒ１と、右側面部２Ｒにおける奥側Ｂに設けられる右側第２照明部５０Ｒ２とを有する。さらに、照明５は、上面部２Ｕにおける手前側Ｆに配置される上側第１照明部５０Ｕ１と、上面部２Ｕにおける奥側Ｂに設けられる上側第２照明部５０Ｕ２とを有する。
【００４４】
なお、左側第１照明部５０Ｌ１、左側第２照明部５０Ｌ２、右側第１照明部５０Ｒ１、右側第２照明部５０Ｒ２、上側第１照明部５０Ｕ１および上側第２照明部５０Ｕ２は、それぞれ、基本構造が同じ構成になっている。また、以下の説明において、これらを特に区別しない場合には単に「照明部５０」と総称する。
【００４５】
そして、図６に示すように、本実施形態の冷蔵庫１では、左側面部２Ｌ、右側面部２Ｒ、上面部２Ｕの各々において、手前側Ｆ（開口部２１の近傍）と奥側Ｂ（背面部２Ｂの近傍）とにそれぞれ照明部５０が配置される。
【００４６】
図７は、実施形態２の照明部５０の全体構成図である。
なお、図７（ａ）には、照明部５０の一例として右側第１照明部５０Ｒ１を示す。また、図７（ｂ）には、図７（ａ）に示す照明部５０のVIIｂ−VIIｂ断面を示す。
図８は、実施形態２のレンズ部材５５の説明図である。
なお、図８（ａ）および図８（ｂ）は、それぞれ照明部５０を前後方向に沿って切断した場合の断面図である。
【００４７】
照明部５０は、図７（ａ）および図７（ｂ）に示すように、筐体５１と、筐体５１を覆うカバー部材５２と、を有する。また、照明部５０は、光を発する複数のＬＥＤ（Light Emitting Diode）５３、ＬＥＤ５３が実装される基板５４と、ＬＥＤ５３が発する光を制御するレンズ部材５５とを有している。
【００４８】
そして、レンズ部材５５は、図７（ａ）に示すように、一方向に延びる長尺状に形成される。より詳細には、レンズ部材５５は、左側面部２Ｌおよび右側面部２Ｒ（図６参照）においては、上下方向に沿って長く延びる。また、レンズ部材５５は、上面部２Ｕ（図６参照）においては、左右方向に沿って長く延びる。
そして、本実施形態では、各照明部５０において、レンズ部材５５は、複数のＬＥＤ５３に対して単一に設けられる。つまり、レンズ部材５５は、複数のＬＥＤ５３から照射される光を一括して配光制御する。そして、レンズ部材５５は、ＬＥＤ５３からの光を収容室２の奥側Ｂに向けるとともに、ＬＥＤ５３からの光の手前側Ｆに向けた進行を防止するように配光を制御する。
なお、本実施形態では、レンズ部材５５の材料には、ＰＣ（ポリカーボネイト樹脂）、ＰＭＭＡ（ポリメタクリル酸メチル樹脂）などの樹脂、ガラスなどを用いることができる。
【００４９】
レンズ部材５５は、図８（ａ）に示すように、断面に中空部５５Ｃを有する。そして、レンズ部材５５は、この中空部５５Ｃの内側にＬＥＤ５３を収容する。なお、以下では、中空部５５Ｃ側の面をレンズ部材５５の「内面」、外側の面をレンズ部材５５の「外面」と呼ぶ。
【００５０】
そして、レンズ部材５５は、ＬＥＤ５３からの光を偏光させて配光を制御する領域として、大きく分けて、３つの領域を備えている。すなわち、レンズ部材５５は、奥側Ｂから手前側Ｆに向けて、第１領域５５１、第２領域５５２および第３領域５５３の順に複数の領域を備えている。
【００５１】
なお、実施形態２の第１領域５５１、第２領域５５２および第３領域５５３は、実施形態１の第１領域６５１、第２領域６５２および第３領域６５３とそれぞれ同様の機能を備えている。つまり、実施形態２の照明部５０においても、レンズ部材５５は、各ＬＥＤ５３が発した光を奥側Ｂに向けるとともに、各ＬＥＤ５３からの光の手前側Ｆに向けた進行を防止するように制御する。
【００５２】
レンズ部材５５は、図８（ａ）に示すように、垂直軸Ｓに沿った仮想の面における照度が面内にて等しくなるようにしている。特に、本実施形態では、レンズ部材５５は、背面部２Ｂの左右方向において照度が等しくなるように配光を制御する。そして、本実施形態では、収容室２内の全域において、照度に偏りがなく全体として明るく感じられるようにしている。
【００５３】
そして、レンズ部材５５は、図８（ｂ）に示すように、光軸Ｂｍが、垂直軸Ｓに対して３０°以上６０°以下になるように、ＬＥＤ５３からの光を制御する。
【００５４】
図９は、背面部２Ｂにおける照度を説明するための図である。
本実施形態では、最大輝度の部分を３０°以上６０°以下とすることによって、例えば背面部２Ｂにおいて左右方向にわたって照度を等しくしている。以下では、図９（ａ）および図９（ｂ）に示すように、左側第１照明部５０Ｌ１にて、垂直軸Ｓに対して光軸Ｂｍの角度が３０°以上６０°以下に設定され、右側第１照明部５０Ｒ１にて、最大輝度となる角度が３０°以上６０°以下に設定されている場合について説明する。
【００５５】
まず、図９（ａ）に示すように、垂直軸Ｓに対して光軸Ｂｍの角度が３０°に設定される場合について説明する。この場合、左側第１照明部５０Ｌ１の光軸Ｂｍは、背面部２Ｂにおける右側Ｒの角を向く。そして、左側第１照明部５０Ｌ１により照らされる範囲は、背面部２Ｂの左右方向にわたる。同様に、右側第１照明部５０Ｒ１の光軸Ｂｍは、背面部２Ｂにおける左側Ｌの角を向く。そして、右側第１照明部５０Ｒ１により照らされる範囲は、背面部２Ｂの左右方向にわたる。
【００５６】
また、図９（ｂ）に示すように、垂直軸Ｓに対して光軸Ｂｍの角度が６０°に設定される場合について説明する。この場合、左側第１照明部５０Ｌ１の光軸Ｂｍは、背面部２Ｂにおける左右方向の中央部を向く。そして、左側第１照明部５０Ｌ１により照らされる範囲は、その中央部から左側Ｌの角までになる。同様に、右側第１照明部５０Ｒ１の光軸Ｂｍは、背面部２Ｂにおける左右方向の中央部を向く。そして、右側第１照明部５０Ｒ１により照らされる範囲は、その中央部から右側Ｒの角までになる。
【００５７】
そして、図９（ａ）に示す光軸Ｂｍの角度が３０°である場合、背面部２Ｂに対する、左側第１照明部５０Ｌ１と右側第１照明部５０Ｒ１とによる光の照射範囲は、光軸Ｂｍの角度が６０°である場合と比較して広い範囲になる。従って、光軸Ｂｍの角度が３０°である場合、左側第１照明部５０Ｌ１と右側第１照明部５０Ｒ１との両方の光により背面部２Ｂが照らされる。
一方、図９（ｂ）に示す光軸Ｂｍの角度が６０°である場合、背面部２Ｂに対する、左側第１照明部５０Ｌ１と右側第１照明部５０Ｒ１とからの光の照射範囲は、光軸Ｂｍの角度が３０°である場合と比較して狭い範囲になる。ただし、光軸Ｂｍの角度が６０°である場合、左側第１照明部５０Ｌ１と、右側第１照明部５０Ｒ１とにより半分ずつ背面部２Ｂが照らされる。
そうすると、背面部２Ｂにおける照度は、光軸Ｂｍの角度が３０°である場合と、光軸Ｂｍの角度が６０°である場合とで同等になる。
【００５８】
以上のとおり、実施形態２の照明部５０では、垂直軸Ｓに対して照明部５０の光軸Ｂｍの角度が３０°以上６０°以下になるように設定する。これによって、背面部２Ｂの左側Ｌの角または右側Ｒの角から中央部の範囲に光軸Ｂｍを向けている。また、上述のとおり、光軸Ｂｍの角度に関わらず、背面部２Ｂにおける照度が同等になる。
このように、本実施形態では、照明部５０が、例えば背面部２Ｂを均等に照らすようにしている。
【００５９】
なお、通常、冷蔵庫１のサイズ（容量）に関わらず、左右方向および前後方向の長さの比（所謂縦横比）は略同じである。従って、冷蔵庫１のサイズ（容量）にかかわらず上述した数値の範囲を適用することができる。
【００６０】
＜実施形態３＞
次に、実施形態３が適用される冷蔵庫１について説明する。なお、実施形態３において、他の実施形態と同様な構成については、同一の符号を付してその詳細な説明を省略する。
図１０は、実施形態３の照明部７０の全体構成図である。
なお、図１０（ａ）は、照明部７０の左右方向の一方から見た図であり、図１０（ｂ）は図１０（ａ）に示す照明部７０のＸｂ−Ｘｂ断面図である。
【００６１】
実施形態３の冷蔵庫１は、実施形態１の照明部６０に代えて、照明部７０を有するものである。なお、照明部７０の基本構成は、実施形態１の照明部６０と同様である。ただし、照明部７０は、実施形態１の照明部６０のレンズ部材６５に代えて、反射部材１６５を有する。以下では、反射部材１６５について詳細に説明する。
【００６２】
反射部材１６５は、複数の反射部１６５Ｒを有している。各々の反射部１６５Ｒは、半円弧のドーム形状になっている。そして、ＬＥＤ５３に対して手前側Ｆに配置され、開口が奥側Ｂを向くように設けられる。また、反射部１６５Ｒの表面には、ＬＥＤ５３が発する光の波長のうち、少なくとも可視領域の光を反射する材料を用いることができる。そして、反射部１６５Ｒは、複数のＬＥＤ５３に対してそれぞれ設けられる。
【００６３】
そして、実施形態３において、各々の反射部１６５Ｒは、ＬＥＤ５３からの光を収容室２の奥側Ｂに向けるとともに、ＬＥＤ５３からの光の手前側Ｆに向けた進行を防止する。また、その際に、光軸Ｂｍの角度は、垂直軸Ｓに対して３０°以上６０°以内の範囲内になるように設定される。
さらに、反射部材１６５は、実施形態１のレンズ部材６５と同様に、光軸Ｂｍ（最大輝度となる光線）を回転対称とした配光パターンを形成する。より具体的には、反射部材１６５は、配光角が狭角となる略円錐形状の配光パターンを形成する。
【００６４】
以上のように構成される実施形態３の照明部７０によっても、ユーザが収容室２内を明るく感じるようになる。また、実施形態３の照明部７０によっても、照明部７０によるスポット的な光の照射によりハント効果を実現し、物品１００が鮮やかに見える。
さらに、反射部１６５Ｒは、ＬＥＤ５３が発する光が手前側Ｆに進行することを防止する。そのため、ユーザが位置する開口部２１側に向けてＬＥＤ５３が発した光が直接進行しないため、まぶしさが低減され、収容室２内の物品１００がさらに見やすくなる。
【００６５】
なお、実施形態２の照明部５０において、レンズ部材５５に代えて実施形態３の反射部材１６５を適用しても構わない。
【００６６】
＜実施形態４＞
次に、実施形態４が適用される冷蔵庫１について説明する。なお、実施形態４において、他の実施形態と同様な構成については、同一の符号を付してその詳細な説明を省略する。
図１１は、実施形態４の照明部８０の全体構成図である。
なお、図１１（ａ）は、照明部８０の左右方向の一方から見た図であり、図１１（ｂ）は図１１（ａ）に示すXIｂ−XIｂ断面図である。
【００６７】
実施形態４の冷蔵庫１は、実施形態２の照明部５０に代えて、照明部８０を有するものである。なお、照明部８０の基本構成は、実施形態２の照明部５０と同様である。
【００６８】
照明部８０は、複数の光源６００（ＬＥＤ５３，レンズ部材６５）が上下方向に並べて配置される。そして、照明部８０において、各光源６００は、ＬＥＤ５３からの光を収容室２の奥側Ｂに向けるとともに、ＬＥＤ５３からの光の手前側Ｆに向けた進行を防止する。
また、各光源６００において、レンズ部材６５は、垂直軸Ｓに対して光軸Ｂｍが３０°以上６０°以下の範囲内になるように配光を制御する。
さらに、各光源６００において、レンズ部材６５は、光軸Ｂｍ（最大輝度となる光線）を回転対称とした配光パターンを形成する。より具体的には、レンズ部材６５は、配光角が狭角となる略円錐形状の配光パターンを形成する。
【００６９】
以上のように構成される実施形態４の照明部８０においても、収容室２内の全体が明るくなる。また、実施形態４の照明部８０は、スポット的な配光パターンによって、物品１００が鮮やかに見えるようになる。さらに、照明部８０により、ユーザにとってまぶしさが低減され、収容室２内の物品１００がさらに見やすくなる。
【００７０】
＜実施形態５＞
次に、実施形態５が適用される冷蔵庫１について説明する。なお、実施形態５において、他の実施形態と同様な構成については、同一の符号を付してその詳細な説明を省略する。
図１２は、実施形態５の照明部９０の全体構成図である。
なお、図１２には、照明部９０を前後方向および左右方向の面に沿って切断し、上下方向からみた断面図を示している。
【００７１】
実施形態５の冷蔵庫１は、実施形態２の照明部５０（図６参照）に代えて、照明部９０を有するものである。以下、照明部９０について詳しく説明する。
照明部９０は、図１２に示すように、ＬＥＤ５３と、基板５４と、筐体９１と、を備える。また、照明部９０は、筐体を覆うカバー部材９２と、ＬＥＤ５３が発する光を制御する偏光レンズ部材９３と、ＬＥＤ５３が発する光を反射する反射部材９４と、を備える。
つまり、実施形態５の照明部９０は、発光するＬＥＤ５３（発光素子の一例）と、ＬＥＤ５３からの光を収容室２の奥側Ｂ（一方側）に向けるとともに、ＬＥＤ５３からの光の手前側Ｆ（他方側）に向けた進行を抑制する偏光レンズ部材９３（光学部材の一例）とを有し、収容室２内を照らす。
【００７２】
実施形態５において、ＬＥＤ５３および基板５４は、各々の主面５３Ｓおよび主面５４Ｓが垂直軸Ｓに沿って設けられる。従って、ＬＥＤ５３の光軸５３ｂｍは、収容室２の例えば左側面部２Ｌ（右側面部２Ｒ、上面部２Ｕに設けられる場合も同様）に沿った前後方向になる。
なお、光軸５３ｂｍは、ＬＥＤ５３から発せられる光のうち最大輝度となる光線が向く方向である。本実施形態において、光軸５３ｂｍは、ＬＥＤ５３の主面５３Ｓと直交（約８９°〜約９１°）する方向になっている。
【００７３】
筐体９１は、内側に、複数のＬＥＤ５３および基板５４を収納する。そして、筐体９１は、収容室２の左側面部２Ｌ（右側面部２Ｒ、上面部２Ｕに設けられる場合も同様）に埋め込まれるようにして取り付けられる。
【００７４】
カバー部材９２は、筐体９１の開口を塞ぐように設けられる。そして、カバー部材９２は、ＬＥＤ５３、基板５４、偏光レンズ部材９３および反射部材９４を、筐体９１外部の雰囲気から遮断する。また、カバー部材９２は、少なくともＬＥＤ５３から発せられた光のうち可視光に対する透過性を有している。なお、カバー部材９２の材料には、ＰＣ（ポリカーボネイト）、ＰＭＭＡ（ポリメタクリル酸メチル樹脂）などの樹脂を用いることができる。
【００７５】
また、カバー部材９２は、第１カバー部９２１（第１拡散部の一例）と、第１カバー部９２１と並べて設けられる第２カバー部９２２（第２拡散部の一例）とを有する。これら第１カバー部９２１および第２カバー部９２２は、それぞれ一方向に沿って長く延びて設けられる。また、第１カバー部９２１および第２カバー部９２２は、それぞれ複数設けられる。そして、図１２に示すように、第２カバー部９２２と第１カバー部９２１とは、一体的に形成される。さらに、第２カバー部９２２と第１カバー部９２１とは、前後方向において交互に並べて配置される。
図１２に示す照明部９０の例では、上下方向に延びる直線状の第１カバー部９２１と、上下方向に延びる直線状の第２カバー部９２２とが、前後方向において略平行に交互に並ぶように形成される。
【００７６】
第１カバー部９２１は、第２カバー部９２２よりも光の拡散度が低く設定されている。なお、第１カバー部９２１は、実質的に光の拡散を生じない拡散度が０（ゼロ）であっても良い。
第２カバー部９２２は、第１カバー部９２１よりも光の拡散度が高く設定されている。つまり、実施形態５では、第１カバー部９２１の拡散度をＣ１、第２カバー部９２２の拡散度をＣ２とした場合に、Ｃ２＞Ｃ１≧０の関係を満たすように設定している。
【００７７】
さらに、第２カバー部９２２の断面は、垂直軸Ｓ（所定の空間における一方側と他方側との方向に対する垂直軸）に対して、予め定められた角度θｃを有するように設けている。実施形態５では、第２カバー部９２２の断面は、垂直軸Ｓに対して、角度θｃが約４５°になるようにしている。なお、第２カバー部９２２の断面は、垂直軸Ｓに対する角度θｃが、２０°以上６０°以下の範囲に設定されていれば良い。
【００７８】
なお、図１２に示すように、第１カバー部９２１と第２カバー部９２２とが、一体的に形成されることに限定されない。例えば、第１カバー部９２１と第２カバー部９２２とが、それぞれ別体に構成されていても構わない。別体に構成する場合には、例えば第１カバー部９２１に対して第２カバー部９２２を左右方向において並べて設ければ良い。この場合、第２カバー部９２２は、左右方向において、第１カバー部９２１の左側Ｌまたは右側Ｒに配置しても良い。さらに、左右方向において、第１カバー部９２１の左側Ｌおよび右側Ｒの両方に配置しても構わない。
【００７９】
偏光レンズ部材９３は、ＬＥＤ５３の奥側ＢにてＬＥＤ５３に対向して設けられる。ここで、偏光レンズ部材９３は、ＬＥＤ５３の光軸５３ｂｍに対して収容室２側（図１２の例では右側Ｒ）の半分の領域には対向する。一方、偏光レンズ部材９３は、ＬＥＤ５３の光軸５３ｂｍに対して収容室２とは逆側（図１２の例では左側Ｌ）の半分の領域には対向しない。
偏光レンズ部材９３は、少なくともＬＥＤ５３から発せられた光のうち可視光に対する透過性を有している。また、偏光レンズ部材９３は、主に、第１レンズ部９３１と第２レンズ部９３２との２つの部分を有している。そして、偏光レンズ部材９３は、ＬＥＤ５３が発した光のうち、ＬＥＤ５３の光軸５３ｂｍに対して収容室２内側に向かう光を、収容室２内とは逆側に向けて進行するように制御する。
【００８０】
第１レンズ部９３１は、ＬＥＤ５３の光軸５３ｂｍに沿った方向に形成される部分である。第１レンズ部９３１の手前側Ｆの端部面９３１ｆと奥側Ｂの端部面９３１ｂとは、それぞれ光軸５３ｂｍに対して垂直になっている。従って、第１レンズ部９３１は、ＬＥＤ５３が発した光を、光軸５３ｂｍに沿って奥側Ｂに進行させる。
第２レンズ部９３２は、ＬＥＤ５３が発する光のうちＬＥＤ５３の光軸５３ｂｍよりも収容室２内側に向けて直接進行しようとする光を、例えば全反射によって偏光させる。そして、第２レンズ部９３２は、ＬＥＤ５３が発した光を反射部材９４に向けて進行させる。
なお、偏光レンズ部材９３は、上述のとおり、ＬＥＤ５３の光軸５３ｂｍに対して左側Ｌの半分の領域には対向していない。従って、偏光レンズ部材９３は、ＬＥＤ５３が発する光のうちＬＥＤ５３の光軸５３ｂｍよりも反射部材９４側に向かう光を、反射部材９４に向けてそのまま進行させる。
【００８１】
反射部材９４は、ＬＥＤ５３の光を反射する反射面を有する。実施形態５の反射部材９４は、収容室２側に向けて凹形状となる曲面に形成されている。そして、反射部材９４は、カバー部材９２に対向するように設けられる。そして、反射部材９４は、ＬＥＤ５３が発した光を収容室２内に向けて反射させる。
【００８２】
また、実施形態５の反射部材９４は、主に２つの領域を有している。具体的には、反射部材９４は、奥側Ｂに設けられる反射面の領域である第１反射領域９４１と、手前側Ｆに設けられる反射面の領域である第２反射領域９４２とを有している。
第１反射領域９４１は、光軸５３ｂｍに対して成す角度θ１が、第２反射領域９４２の光軸５３ｂｍに対して成す角度θ２と比較して大きくなっている（θ１＞θ２）。そして、実施形態５では、反射部材９４の反射面の角度は、ＬＥＤ５３から遠ざかるに従って、光軸５３ｂｍに対して成す角度が次第に大きくなっている。
【００８３】
なお、反射部材９４の反射面は、曲面であることに限定されず、例えば複数の平面を接続することによって形成しても構わない。
【００８４】
以上のように構成される偏光レンズ部材９３および反射部材９４は、ＬＥＤ５３から発せられた光を、奥側Ｂに向けた予め定められた角度にてカバー部材９２に進行させる。実施形態５では、偏光レンズ部材９３および反射部材９４は、ＬＥＤ５３からの光を、主に、奥側Ｂに向けて垂直軸Ｓに対して約４５°で進行させる。なお、偏光レンズ部材９３および反射部材９４は、ＬＥＤ５３からの光を、奥側Ｂに向けて垂直軸Ｓに対して２０°以上６０°以下の範囲で進行するように制御すれば良い。
【００８５】
図１３は、実施形態５の照明部９０の説明図である。
図１３に示すように、例えば、ＬＥＤ５３から光軸５３ｂｍに沿って発せられた光は、偏光レンズ部材９３の第１レンズ部９３１に入射する。この光は、第１レンズ部９３１にて光軸５３ｂｍに沿って進行し第１レンズ部９３１から出る。その後、この光は、例えば第１反射領域９４１にて反射してカバー部材９２に向けて進行する。
より具体的には、第１レンズ部９３１を透過する光は、反射部材９４に対して浅い角度で進行する。ただし、反射部材９４に対して浅い角度で進行した光は、光軸５３ｂｍに対して成す角度が比較的大きい第１反射領域９４１にて反射する。そして、第１反射領域９４１を反射した光は、垂直軸Ｓに対して予め定められた角度（実施形態５では約４５°）にて、カバー部材９２に向けて進む。
【００８６】
また、ＬＥＤ５３から第２レンズ部９３２に向かう光は、第２レンズ部９３２にて全反射する。そして、第２レンズ部９３２にて反射した光は、第２反射領域９４２に向けて進行する。その後、第２反射領域９４２にて反射した光は、カバー部材９２に向けて進行する。
より具体的には、第２レンズ部９３２を反射した光は、反射部材９４に対して深い角度で進行する。ただし、反射部材９４に対して深い角度で進行した光は、光軸５３ｂｍに対して成す角度が比較的小さい第２反射領域９４２にて反射する。そして、第２反射領域９４２を反射した光は、垂直軸Ｓに対して予め定められた角度（実施形態５では約４５°）にて、カバー部材９２に向けて進む。
【００８７】
なお、ＬＥＤ５３から発せられて、光軸５３ｂｍよりも収容室２とは逆側（図１２の例では左側Ｌ側）に向かう光は、反射部材９４に直接進行する。そして、反射部材９４に直接進行した光は、反射部材９４にて反射する。そして、反射部材９４にて反射した光は、垂直軸Ｓに対して予め定められた角度（実施形態５では約４５°）にて、カバー部材９２に向けて進む。
【００８８】
特に、実施形態５の照明部９０では、ＬＥＤ５３の光出力が大きい光軸５３ｂｍに沿った光を反射する反射部材９４の奥側Ｂの反射面の角度を、手前側Ｆと比較して大きくしている。これによって、実施形態５の照明部９０では、面発光および均一発光を実現している。
【００８９】
上述したとおり、反射部材９４にて反射した光は、垂直軸Ｓに対して予め定められた角度（実施形態５では約４５°）でカバー部材９２に進行する。ここで、図１３に示すように、第１カバー部９２１は、垂直軸Ｓに予め定められた角度θｃ（実施形態５では約４５°）を成している。従って、垂直軸Ｓに対して予め定められた角度（実施形態５では約４５°）でカバー部材９２に入射した光は、第１カバー部９２１を透過する。一方で、垂直軸Ｓに対して予め定められた角度とは異なる角度でカバー部材９２に進入した光は、第２カバー部９２２に入射し散乱光となる。
【００９０】
そして、実施形態５の照明部９０では、収容室２の奥側Ｂに向けて比較的強い光を照射し、手前側Ｆには弱い拡散光を照射するようにして、光軸Ｂｍを奥側Ｂに偏光している。このように、実施形態５の照明部９０は、ＬＥＤ５３からの光を収容室２の奥側Ｂに向けるとともに、ＬＥＤ５３からの光の手前側Ｆに向けた進行を抑制している。
【００９１】
また、実施形態５の照明部９０では、ＬＥＤ５３の光軸５３ｂｍよりも収容室２とは逆側には、偏光レンズ部材９３を設けていない。そして、ＬＥＤ５３から反射部材９４に向けて光が直接進行するようにした。これにより、実施形態５の照明部９０では、偏光レンズ部材９３のサイズが小さくなる。さらに、照明部９０全体としてのサイズが小型化される。また、実施形態５の照明部９０では、偏光レンズ部材９３を光が透過することによって生じ得るフレネル反射による損失が抑制され発光効率が高まる。
一方、実施形態５の照明部９０では、ＬＥＤ５３の光軸５３ｂｍよりも収容室２側に偏光レンズ部材９３を配置する。この偏光レンズ部材９３による偏光配光によって、ＬＥＤ５３からカバー部材９２に直接進行する光が低減される。そのため、ＬＥＤ５３近傍における発光面の均斉度の低下が抑制される。
【００９２】
図１４は、変形例１および変形例２の照明部９０の全体構成図である。
なお、図１４（ａ）は変形例１の照明部９０の断面図を示し、図１４（ｂ）は変形例２の照明部９０の断面図を示す。
【００９３】
図１４（ａ）に示すように、変形例１の照明部９０は、反射部材１９４の形状が、上述した実施形態５の反射部材９４とは異なるものである。以下、反射部材１９４について説明する。
反射部材１９４は、反射面の形状が平面状に形成されている。つまり、反射部材１９４の断面は、直線状に形成されている。また、反射部材１９４は、前後方向において、反射面の例えば光軸５３ｂｍに対する角度が一定になっている。そして、反射部材１９４は、ＬＥＤ５３からの光を、収容室２側に向けて反射する。
このような変形例１の照明部９０においても、ＬＥＤ５３からの光を収容室２の奥側Ｂに向けるとともに、ＬＥＤ５３からの光の手前側Ｆに向けた進行を抑制する。
【００９４】
図１４（ｂ）に示すように、変形例２の照明部９０は、反射部材２９４の形状が、上述した実施形態５の反射部材９４とは異なるものである。以下、反射部材２９４について説明する。
反射部材２９４は、反射面の形状が、収容室２側に向けて凸状となる曲線状に形成されている。また、反射部材２９４は、光軸５３ｂｍに対して成す角度が、奥側Ｂと比較して手前側Ｆが大きく形成されている。そして、反射部材２９４は、ＬＥＤ５３からの光を、収容室２側に向けて反射する。
このような変形例２の照明部９０においても、ＬＥＤ５３からの光を収容室２の奥側Ｂに向けるとともに、ＬＥＤ５３からの光の手前側Ｆに向けた進行を抑制する。
【００９５】
なお、変形例２においても、反射部材２９４の反射面は、曲面であることに限定されず、例えば複数の平面を接続することによって形成しても構わない。
【００９６】
図１５は、変形例３および変形例４の照明部９０の全体構成図である。
なお、図１５（ａ）は変形例３の照明部９０の断面図を示し、図１５（ｂ）は変形例４の照明部９０の断面図を示す。
図１５（ａ）に示すように、変形例３の照明部９０は、カバー部材３９２の形状が、上述した実施形態５のカバー部材９２とは異なるものである。以下、カバー部材３９２について説明する。
【００９７】
カバー部材３９２は、反射部材９４に対向する側となる入光面側に、プリズムカット加工を施している。具体的には、各々の第１カバー部９２１に、Ｖ字状の凸部３９２Ｐを設けている。そして、各々の凸部３９２Ｐは、第２カバー部９２２が垂直軸Ｓに対して成す予め定められた角度に対して、直交θｐ（約８９°〜９１°）する面を形成する。これによって、反射部材９４にて反射した光が、第１カバー部９２１に対して垂直に入射するようにしている。
そして、変形例３の照明部９０では、反射部材９４にて反射した光がカバー部材３９２に入射する際に生じ得るフレネル反射による損失を低減している。
【００９８】
図１５（ｂ）に示すように、変形例４の照明部９０は、上述した偏光レンズ部材９３に代えて、第２反射部材９５を備えている。
第２反射部材９５は、照明部９０の手前側Ｆであって、ＬＥＤ５３に対して収容室２側（図１５の例では右側Ｒ）に設けられる。そして、第２反射部材９５は、ＬＥＤ５３から発せられた光のうち、ＬＥＤ５３から収容室２内に向けて直接進行しようとする光を反射部材９４に向けて反射させる。
このような変形例４の照明部９０においても、ＬＥＤ５３からの光を収容室２の奥側Ｂに向けるとともに、ＬＥＤ５３からの光の手前側Ｆに向けた進行を抑制する。
【００９９】
以上のように構成される実施形態５の照明部９０によっても、収容室２内の全体が明るくなる。また、照明部９０により、ユーザにとってのまぶしさが低減され、収容室２内の物品１００がさらに見やすくなる。
なお、実施形態５の照明部９０は、上下方向に複数のＬＥＤ５３が並ぶように配置され、上述のとおりＬＥＤ５３の光を制御する例について説明した。ただし、この例に限定されず、例えば実施形態１のように、前後方向に複数のＬＥＤ５３が並ぶように配置する構成であっても良い。つまり、カバー部材９２（カバー部材３９２）、偏光レンズ部材９３、反射部材９４（反射部材１９４、反射部材２９４）、第２反射部材９５を用いることにより、ＬＥＤ５３の光を制御することができる。
【０１００】
＜実施形態６＞
次に、実施形態６が適用される冷蔵庫１について説明する。なお、実施形態６において、他の実施形態と同様な構成については、同一の符号を付してその詳細な説明を省略する。
図１６は、実施形態６の照明部６９０の全体構成図である。
なお、図１６には、照明部６９０を前後方向および左右方向の面に沿って切断し、上下方向からみた断面図を示している。
【０１０１】
実施形態６の冷蔵庫１は、実施形態５の照明部９０（図１２参照）に代えて、照明部６９０を有するものである。以下、照明部６９０について詳しく説明する。
照明部６９０は、図１６に示すように、通電により発光するＬＥＤチップ１５３と、基板５４と、筐体９１とを備える。また、照明部６９０は、筐体を覆うカバー部材６９２と、ＬＥＤチップ１５３に対向して設けられる波長変換部材９６（波長変換部の一例）とを備える。さらに、照明部６９０は、反射部材９４（光学部の一例）と、第２反射部材９５（光学部の一例）とを備える。
【０１０２】
ＬＥＤチップ１５３は、青色光を発光する半導体チップである。実施形態６では、ＬＥＤチップ１５３は、図示しないワイヤボンディング実装によって基板５４に対して電気的に接続される。
また、実施形態６において、ＬＥＤチップ１５３および基板５４は、各々の主面１５３Ｓおよび主面５４Ｓが垂直軸Ｓに沿って設けられる。従って、ＬＥＤチップ１５３の光軸１５３ｂｍは、収容室２の例えば左側面部２Ｌ（右側面部２Ｒ、上面部２Ｕに設けられる場合も同様）に沿った前後方向になる。
【０１０３】
カバー部材６９２は、筐体９１の開口を塞ぐように設けられる。そして、カバー部材９２は、ＬＥＤチップ１５３、基板５４、反射部材９４、第２反射部材９５および波長変換部材９６を、筐体９１外部の雰囲気から遮断する。また、カバー部材６９２は、少なくともＬＥＤチップ１５３や波長変換部材９６から発せられた光のうち可視光に対する透過性を有している。
なお、カバー部材６９２の材料には、ＰＣ（ポリカーボネイト）、ＰＭＭＡ（ポリメタクリル酸メチル樹脂）などの樹脂を用いることができる。
【０１０４】
波長変換部材９６は、ＬＥＤチップ１５３が発する光を吸収し、より長波長の光を発する蛍光体を分散させた透明樹脂である。より具体的には、波長変換部材９６は、青色光を吸収して緑色光を発する緑色蛍光部９６１を有する。また、波長変換部材９６は、青色光を吸収して赤色光を発する赤色蛍光部９６２を有する。そして、緑色蛍光部９６１および赤色蛍光部９６２は、それぞれ板状に形成される。さらに、緑色蛍光部９６１および赤色蛍光部９６２は、互いに密着した状態で固定される。
【０１０５】
なお、波長変換部材９６は、青色光を吸収して緑色光を発する蛍光体と、青色光を吸収して赤色光を発する蛍光体との両方を分散させた単体の透明樹脂部材によって構成しても良い。さらに、光源の発する波長と蛍光体が発する波長との組合せは、本実施形態に限定されず、他の組合せであっても良い。
【０１０６】
そして、波長変換部材９６は、不図示の保持部材によって位置が固定される。また、波長変換部材９６は、その主面９６Ｓが垂直軸Ｓに沿って設けられる。すなわち、波長変換部材９６の主面９６Ｓは、ＬＥＤチップ１５３の主面１５３Ｓと平行に配置される。また、波長変換部材９６は、ＬＥＤチップ１５３に対して予め定められた間隔を有して設けられる。
さらに、波長変換部材９６は、主面９６Ｓに沿った方向（本実施形態では左右方向）において、反射部材９４との間に第１隙間Ｇ１（非通過部の一例）を形成する。また、波長変換部材９６は、主面９６Ｓに沿った方向（本実施形態では左右方向）において、第２反射部材９５との間に第２隙間Ｇ２（非通過部の一例）を形成する。つまり、波長変換部材９６に隣り合った位置に、第１隙間Ｇ１や第２隙間Ｇ２を設ける。そして、これら第１隙間Ｇ１および第２隙間Ｇ２は、ＬＥＤチップ１５３が発した光を通過可能にする。
【０１０７】
そして、実施形態６において、波長変換部材９６は、主に反射部材９４とカバー部材６９２とによって形成された空間を２つに分割する。すなわち、照明部６９０において、波長変換部材９６とＬＥＤチップ１５３との間には、第１空間Ｃ１（第１空間部の一例）が形成される。また、照明部６９０において、波長変換部材９６に対してＬＥＤチップ１５３とは反対側に、第２空間Ｃ２（第２空間部の一例）が形成される。つまり、波長変換部材９６に対して第１空間Ｃ１とは反対側に、第２空間Ｃ２が形成される。
【０１０８】
より詳細には、第１空間Ｃ１は、波長変換部材９６、反射部材９４、第２反射部材９５、ＬＥＤチップ１５３および基板５４によって囲まれた空間である。また、第２空間Ｃ２は、波長変換部材９６、反射部材９４およびカバー部材６９２によって囲まれた空間である。
【０１０９】
なお、実施形態６において、第１空間Ｃ１と第２空間Ｃ２の境界は、まず、波長変換部材９６によって形成される。さらに、第１空間Ｃ１と第２空間Ｃ２の境界は、波長変換部材９６と反射部材９４とを最短距離で結ぶ直線状の仮想線Ｉにより形成される。また、境界は、波長変換部材９６と第２反射部材９５とを最短距離で結ぶ直線状の仮想線Ｉにより形成される。
【０１１０】
そして、図１６に示すように、第１空間Ｃ１の断面積は、第２空間Ｃ２の断面積と比較して小さく形成される。すなわち、第１空間Ｃ１の容積は、第２空間Ｃ２の容積と比較して小さくなっている。
【０１１１】
なお、第１空間Ｃ１の断面積は、波長変換部材９６の横断面（前後方向および左右方向に沿った平面）における左右方向の長さが主に寄与する。また、第２空間Ｃ２の断面積は、カバー部材６９２の横断面における前後方向の長さが主に寄与する。従って、実施形態６においては、カバー部材６９２の前後方向の長さよりも、波長変換部材９６の左右方向の長さが短くなるという関係になっている。
【０１１２】
図１７は、実施形態６の照明部６９０の説明図である。
図１７に示すように、ＬＥＤチップ１５３から発せられた光は、第１空間Ｃ１を通って波長変換部材９６に入る。そして、ＬＥＤチップ１５３から発せられた青色光は、波長変換部材９６によって、赤色光や緑色光に変換される。さらに、赤色光や緑色光は、波長変換部材９６の奥側Ｂに形成される第２空間Ｃ２に到達する。
【０１１３】
また、ＬＥＤチップ１５３から発せられた光のうち、第１隙間Ｇ１に向かう光は、波長変換部材９６を通らずに反射部材９４に向けて進行する。すなわち、第１隙間Ｇ１を通る青色光は、波長変換部材９６によって波長が変換されず、青色光のまま反射部材９４にて反射する。そして、第１隙間Ｇ１を通る青色光は、第２空間Ｃ２に到達する。
【０１１４】
さらにまた、ＬＥＤチップ１５３から発せられた光のうち、第２隙間Ｇ２に向かう光は、波長変換部材９６を通らずに第２反射部材９５に向けて進行する。すなわち、第２隙間Ｇ２を通る青色光は、波長変換部材９６によって波長が変換されず青色光のまま第２反射部材９５にて反射する。そして、第２隙間Ｇ２を通る青色光は、第２空間Ｃ２に到達する。
【０１１５】
そして、第２空間Ｃ２において、波長変換部材９６を通ってきた赤色光や緑色光と、波長変換部材９６を通らずに進行してきた青色光とが混合して白色光となる。その後、実施形態５を参照しながら説明したように、これらの光は、反射部材９４等にて反射し、カバー部材６９２を通って収容室２の奥側Ｂに向けて進行する。
【０１１６】
以上のように構成される実施形態６の照明部６９０によっても、収容室２内の全体が明るくなる。また、照明部６９０により、ユーザにとってのまぶしさが低減され、収容室２内の物品１００（図６参照）がさらに見やすくなる。
【０１１７】
ここで、照明部６９０では、第２空間Ｃ２が第１空間Ｃ１に対して大きいため、赤色光、緑色光および青色光を混合させるに十分な容積が確保される。一方で、第１空間Ｃ１が小さいため、ＬＥＤチップ１５３に対して波長変換部材９６が近くに配置される。その結果、波長変換部材９６のサイズが小型化される。つまり、ＬＥＤチップ１５３からは放射状に光が発せられる。これに対して、ＬＥＤチップ１５３に波長変換部材９６を近づけて配置することで、波長変換部材９６のサイズが小さくて済む。すなわち、照明部６９０の小型化が図られる。
【０１１８】
さらに、実施形態６が適用される照明部６９０では、光学効率の低下が抑制される。例えば、ＬＥＤチップ１５３からの青色光を、蛍光体が分散された透明部材に全て通過させる場合を考える。この場合、青色光は、蛍光体によって緑色光や赤色光に変換されなかった光として取り出される。しかしながら、この青色光は、透明部材を通過しているため、フレネル損失などの光エネルギーの損失が生じ得る。
これに対して、実施形態６の照明部６９０において、青色光は、波長変換部材９６などの蛍光体が分散された透明部材を通さずに、第２空間Ｃ２に到達する。そのため、波長変換部材９６を通らずに第２空間Ｃ２に到達した青色光は、フレネル損失などの光エネルギーの損失が生じない。従って、照明部６９０においては、光学効率の低下が抑制される。その結果、例えば収容室２内の明るさ感が向上する。
【０１１９】
そして、照明部６９０では、第１隙間Ｇ１または第２隙間Ｇ２の大きさを変化させることで、色温度を調整することができる。例えば、第１隙間Ｇ１または第２隙間Ｇ２の間隔を小さくすることで、青色光が減少して色温度が低くなる。一方、第１隙間Ｇ１または第２隙間Ｇ２の間隔を大きくすることで、青色光が増加して色温度が高くなる。このように、実施形態６では、波長変換部材９６のサイズの変更によって、照明部６９０の色温度が容易に調整される。
【０１２０】
なお、波長変換部材６９の構成は、上述した例に限定されない。波長変換部材９６として、例えば、ガラスなどのセラミック板材に蛍光体をコーティングしたものを用いても良い。さらに、波長変換部材９６の形状は、上述した形状に限定されない。例えば、波長変換部材９６は、円弧の凸形状に形成や、板厚の異なる凹凸形状であっても良い。
【０１２１】
また、実施形態６に記載される照明部６９０の一部の構成を、他の実施形態に適用しても良い。
例えば、他の実施形態において、単色光を発光するＬＥＤチップを用いた場合に、そのＬＥＤチップに対して、実施形態６と同様に波長変換部材９６を配置する。このとき、ＬＥＤチップに対して波長変換部材９６を所定の距離だけ離して第１空間を形成する。また、波長変換部材９６に対してＬＥＤチップとは反対側に、第１空間よりも断面積が大きい第２空間を形成する。また、波長変換部材９６は、ＬＥＤチップからの光を全て通過させるのではなく、ＬＥＤチップからの光の一部が波長変換部材９６を通過しないように構成すれば良い。
【０１２２】
＜実施形態７＞
次に、実施形態７が適用される冷蔵庫１について説明する。なお、実施形態７において、他の実施形態と同様な構成については、同一の符号を付してその詳細な説明を省略する。
図１８は、実施形態７の照明部７５０の全体図である。
なお、図１８（ａ）には、照明部７５０の正面図を示す。また、図１８（ｂ）には、図１８（ａ）に示す照明部５０のＸVIIIｂ−ＸVIIIｂ断面を示す。
【０１２３】
実施形態７の冷蔵庫１は、実施形態２の照明部５０（図６参照）に代えて、照明部７５０を有するものである。以下、照明部７５０について詳しく説明する。
【０１２４】
照明部７５０は、図１８（ａ）および図１８（ｂ）に示すように、発光するＬＥＤパッケージ５３０と、基板５４と、ＬＥＤパッケージ５３０に対向して設けられるレンズ部材７５（透過部の一例）と、波長変換部材９６（波長変換部の一例）とを有する。
そして、照明部７５０は、図１８（ａ）に示すように、一方向（上下方向）に延びる長尺状に形成される。より詳細には、照明部７５０は、左側面部２Ｌおよび右側面部２Ｒ（図６参照）においては、上下方向に沿って長く延びる。
【０１２５】
ＬＥＤパッケージ５３０は、断面が凹形状である容器５３１内に、ＬＥＤチップ１５３（発光素子の一例）を収容してパッケージ化された光源である。図示していないが、容器５３１には、ＬＥＤチップ１５３に電気的に接続するリードフレームが設けられる。そして、このリードフレームを介して、ＬＥＤチップ１５３と基板５４とが電気的に接続される。また、容器５３１の凹部には、透明な封止樹脂が充填され、ＬＥＤチップ１５３が封止された状態になっている。なお、ＬＥＤパッケージ５３０において、封止樹脂には、蛍光体が充填されていない。
また、ＬＥＤパッケージ５３０は、光軸５３０ｂｍ（ＬＥＤパッケージ５３０単体において最大輝度となる光線に沿った方向）が、垂直軸Ｓ（図６参照）に対する角度が２０°以上６０°以下の範囲になるように設けられる。つまり、光軸５３０ｂｍは、前後方向における奥側Ｂを向くように設けられる。なお、本実施形態において、光軸５３０ｂｍは、ＬＥＤパッケージ５３０の端面５３０Ａに垂直になっている。
【０１２６】
レンズ部材７５は、図１８（ａ）に示すように、一方向に延びる長尺状に形成される。また、レンズ部材７５は、複数のＬＥＤパッケージ５３０に対して単一に設けられる。そして、レンズ部材７５は、ＬＥＤパッケージ５３０から入射した光を透過する。つまり、レンズ部材７５は、複数のＬＥＤパッケージ５３０から照射される光を一括して配光制御する。なお、本実施形態のレンズ部材７５自体には、蛍光体は含まれていない。
また、レンズ部材７５は、図１８（ｂ）に示すように、基板５４に固定される。
【０１２７】
そして、レンズ部材７５は、ＬＥＤパッケージ５３０からの光を収容室２の奥側Ｂに向けるとともに、ＬＥＤパッケージ５３０からの光の手前側Ｆに向けた進行を防止するように配光を制御する（図６参照）。
なお、本実施形態では、レンズ部材７５の材料には、ＰＣ（ポリカーボネイト樹脂）、ＰＭＭＡ（ポリメタクリル酸メチル樹脂）などの樹脂、ガラスなどを用いることができる。
【０１２８】
レンズ部材７５は、図１８（ｂ）に示すように、横断面（上下方向に垂直な面）が台形状に形成される。そして、レンズ部材７５は、ＬＥＤパッケージ５３０側に設けられる下端部７５１を有する。また、レンズ部材７５は、ＬＥＤパッケージ５３０に対向する側とは反対側に設けられる上端部７５２を有する。さらに、レンズ部材７５は、側面に設けられる側部７５３（傾斜部の一例）を有している。
【０１２９】
下端部７５１は、凹形状の部分を有する。そして、下端部７５１は、内側にＬＥＤパッケージ５３０を収容する。そして、下端部７５１は、ＬＥＤパッケージ５３０から発せられた光が、レンズ部材７５内部に入射する箇所を形成する。
さらに、下端部７５１は、ＬＥＤパッケージ５３０の端面５３０Ａに対向する第１面７５１ｔと、ＬＥＤパッケージ５３０の側面に対向する第２面７５１ｓとを有する。第１面７５１ｔは、ＬＥＤパッケージ５３０の端面５３０Ａと平行に設けられる。つまり、第１面７５１ｔは、光軸５３０ｂｍに対して垂直になるように形成される。
【０１３０】
また、実施形態７において、第１面７５１ｔおよび第２面７５１ｓは、それぞれＬＥＤパッケージ５３０に対して予め定められた隙間を有して形成される。すなわち、下端部７５１において、ＬＥＤパッケージ５３０との間には、空気などの気体が含まれる空間７５Ｃが形成される。
【０１３１】
上端部７５２は、レンズ部材７５に入射した光が、レンズ部材７５の外に出る箇所を形成する。実施形態７においては、上端部７５２は、図１８（ｂ）に示すように、ＬＥＤパッケージ５３０の端面５３０Ａと平行に設けられる。つまり、上端部７５２は、光軸５３０ｂｍに対して垂直になるように形成される。
【０１３２】
そして、上端部７５２は、波長変換部材９６と対向する対向面７５２ｐと、波長変換部材９６に対向しない出力面７５２ｎ（出力部の一例）とを有する。対向面７５２ｐは、図１８（ａ）に示すように、波長変換部材９６に対応して、一方向（上下方向）に延びて形成される。そして、対向面７５２ｐには、波長変換部材９６が接着等によって固定される。また、出力面７５２ｎは、対向面７５２ｐの両側にそれぞれ形成される。つまり、出力面７５２ｎは、対向面７５２ｐに隣り合って設けられる。２つの出力面７５２ｎは、それぞれ一方向（上下方向）に延びて形成される。そして、出力面７５２ｎは、波長変換部材９６を迂回して、レンズ部材７５の外に光が進行する経路を形成する。
【０１３３】
また、実施形態１において、上端部７５２の面積における出力面７５２ｎの面積の割合は、１５％に設定している。この割合は、２％以上であって３５％以下であることが好ましい。より好ましくは、この割合は、５％以上であって３０％以下が良い。
そして、この出力面７５２ｎの面積を変更することによって、照明部７５０が発する光の色温度を調整することができる。例えば、出力面７５２ｎの面積が大きくなるほど、照明部７５０の光の色温度が高くなる。一方、出力面７５２ｎの面積が小さくなるほど、照明部７５０の光の色温度が低くなる。
【０１３４】
側部７５３は、図１８（ｂ）に示すように、ＬＥＤパッケージ５３０の光軸５３０ｂｍに対して、両側にそれぞれ形成される。また、側部７５３は、ＬＥＤパッケージ５３０から遠ざかるに従って、幅が拡がるように形成される。実施形態７において、側部７５３のＬＥＤパッケージ５３０に遠い側の幅Ｌ１は、ＬＥＤパッケージ５３０に遠い側の幅Ｌ２よりも大きくなっている。すなわち、側部７５３は、光軸５３０ｂｍに対し予め定められた角度を有して斜めに設けられる。
そして、側部７５３は、ＬＥＤパッケージ５３０から照射された光を全反射させる。つまり、側部７５３は、ＬＥＤパッケージ５３０からの光を、上端部７５２に向けて反射させる反射面として機能する。
【０１３５】
図１９は、実施形態７の照明部７５０の説明図である。
図１９に示すように、ＬＥＤパッケージ５３０から放射状に発せられた青色光は、空間７５Ｃを通って、下端部７５１からレンズ部材７５内に入る。このとき、青色光は、空間７５Ｃから空間７５Ｃよりも密度の高いレンズ部材７５に入射することで、光軸５３０ｂｍ側に屈折する。さらに、ＬＥＤパッケージ５３０から側部７５３に進行する青色光は、側部７５３を反射する。そして、ＬＥＤパッケージ５３０からの青色光は、主に光軸５３０ｂｍに沿って進行する。
【０１３６】
そして、ＬＥＤパッケージ５３０から発せられた青色光の一部は、対向面７５２ｐに向かう。その後、この青色光は、波長変換部材９６を通過する。このとき、青色光は、波長変換部材９６によって、赤色光や緑色光に変換される。そして、赤色光および緑色光は、レンズ部材７５および波長変換部材９６から出る。
また、ＬＥＤパッケージ５３０から発せられた青色光のうち、出力面７５２ｎに向かう光は、波長変換部材９６を通らずに、レンズ部材７５から出ることになる。
【０１３７】
以上のようにして、照明部７５０からは、赤色光、緑色光および青色光が照射される。これら３色の光は、収容室２内において混合する。その結果、照明部７５０によって、収容室２が白色に照らされる。また、上述したとおり、照明部７５０からは収容室２の奥側Ｂ（図６参照）に向けて光が進行する。また、ＬＥＤパッケージ５３０から収容室２の手前側Ｆ（図６参照）に向かおうとする光は、レンズ部材７５の側部７５３を反射する。従って、照明部７５０から収容室２の前側に向けて進行する光は抑制される。
【０１３８】
以上のように構成される実施形態７の照明部７５０によっても、収容室２内の全体が明るくなる。また、照明部７５０により、ユーザにとってのまぶしさが低減され、収容室２内の物品１００（図６参照）がさらに見やすくなる。
【０１３９】
なお、出力面７５２ｎに微少な凹凸を形成し、出力面７５２ｎの光の拡散度を大きくしても良い。そして、出力面７５２ｎからの光の取り出し効率を高めるようにしても良い。この場合、例えば、出力面７５２ｎの光の拡散度は、波長変換部材９６の光の拡散度と同等にすることができる。
また、側部７５３は、ＬＥＤパッケージ５３０からの光の反射面として機能している。そのため、側部７５３は、光の拡散度が小さい方が好ましい。従って、出力面７５２ｎの光の拡散度は、側部７５３の光の拡散度よりも大きくしても良い。
【０１４０】
ここで、実施形態７が適用される照明部７５０では、光学効率の低下が抑制される。例えば、ＬＥＤチップ１５３からの青色光を、蛍光体が分散された透明部材に全て通過させる場合を考える。この場合、青色光は、蛍光体によって緑色光や赤色光に変換されなかった光として取り出される。しかしながら、この青色光は、透明部材を通過しているため、フレネル損失などの光エネルギーの損失が生じ得る。
これに対して、実施形態７の照明部７５０では、青色光は、波長変換部材９６などの蛍光体が分散された透明部材を通さずに出力される。従って、波長変換部材９６を通らずに出力された青色光は、フレネル損失などの光エネルギーの損失が生じない。従って、照明部７５０においては、光学効率の低下が抑制される。その結果、例えば収容室２内の明るさ感が向上する。
【０１４１】
さらに、ＬＥＤパッケージ５３０から放射状に発せられた光は、上述のとおり、レンズ部材７５によって光軸５３０ｂｍ側に絞られる。そして、波長変換部材９６は、このレンズ部材７５の上端部７５２に配置される。そのため、実施形態７では、波長変換部材９６の光軸５３０ｂｍに垂直な方向における幅を小さくできる。つまり、照明部７５０の小型化が図られる。
【０１４２】
また、実施形態７において、波長変換部材９６は、レンズ部材７５に固定されている。つまり、波長変換部材９６は、自立保持される。これによって、波長変換部材９６を保持するための保持部材を別途設ける必要がなくなり、部品点数が削減される。
【０１４３】
なお、実施形態７の照明部７５０は、図１に示すように、前後方向において、手前側Ｆから奥側Ｂに向けて延びるように配置しても構わない。この場合においては、照明部７５０から収容室２の奥側Ｂに向けて光が進行し、手前側Ｆに向かう光の進行を抑制するようにレンズ部材７５の向きを設定すれば良い。
【０１４４】
また、実施形態７に記載される照明部７５０の一部の構成を、他の実施形態に適用しても良い。
【０１４５】
＜実施形態８＞
次に、実施形態８が適用される冷蔵庫１について説明する。なお、実施形態８において、他の実施形態と同様な構成については、同一の符号を付してその詳細な説明を省略する。
図２０は、実施形態８の照明部８９０の全体構成図である。
なお、図２０（ａ）には、照明部８９０を前後方向および左右方向の面に沿って切断し、上下方向からみた断面図を示している。また、図２０（ｂ）には、照明部８９０内に設けられる発光部８５０の全体図を示している。
【０１４６】
実施形態８の冷蔵庫１は、実施形態５の照明部９０（図１２参照）に代えて、照明部８９０を有するものである。以下、照明部８９０について詳しく説明する。
照明部８９０は、図２０（ａ）に示すように、発光する発光部８５０と、筐体９１と、を備える。また、照明部８９０は、カバー部材６９２と、反射部材９４と、第２反射部材９５と、を備える。
そして、照明部８９０は、一方向に延びる長尺状に形成される。より詳細には、照明部８９０は、左側面部２Ｌおよび右側面部２Ｒ（図６参照）においては、上下方向に沿って長く延びる。
【０１４７】
発光部８５０は、基本的な構成が実施形態７の照明部７５０と同様になっている。発光部８５０は、図２０（ｂ）に示すように、ＬＥＤパッケージ５３０と、基板５４とを有する。また、発光部８５０は、ＬＥＤパッケージ５３０に対向して設けられるレンズ部材８５と、波長変換部材９６とを有する。
【０１４８】
レンズ部材８５は、一方向に延びる長尺状に形成される。また、レンズ部材８５は、複数のＬＥＤパッケージ５３０に対して単一に設けられる。そして、レンズ部材８５は、ＬＥＤパッケージ５３０から入射した光を透過する。なお、本実施形態のレンズ部材８５自体には、蛍光体は含まれていない。また、レンズ部材８５は、基板５４に固定される。
なお、本実施形態では、レンズ部材８５の材料には、ＰＣ（ポリカーボネイト樹脂）、ＰＭＭＡ（ポリメタクリル酸メチル樹脂）などの樹脂、ガラスなどを用いることができる。
【０１４９】
レンズ部材８５は、図２０（ｂ）に示すように、横断面（上下方向に垂直な面）において、矩形状に形成される。そして、レンズ部材８５は、ＬＥＤパッケージ５３０側に設けられる下端部８５１を有する。また、レンズ部材８５は、ＬＥＤパッケージ５３０に対向する側とは反対側に設けられる上端部８５２を有する。さらに、レンズ部材８５は、側面に設けられる側部８５３を有している。
【０１５０】
下端部８５１は、実施形態７の下端部７５１と基本構成が同じである。下端部８５１は、凹形状の部分を有する。そして、下端部８５１は、内側にＬＥＤパッケージ５３０を収容する。そして、下端部８５１は、ＬＥＤパッケージ５３０から発せられた光が、レンズ部材８５内部に入射する箇所を形成する。また、下端部８５１において、ＬＥＤパッケージ５３０との間には、空気などの気体が含まれる空間８５Ｃが形成される。
【０１５１】
上端部８５２は、波長変換部材９６と対向する部分を形成する。上端部８５２は、図２０（ｂ）に示すように、光軸５３０ｂｍに対して垂直に形成される。また、上端部８５２の幅は、波長変換部材９６の幅と同等に形成される。そして、上端部８５２には、波長変換部材９６が接着等によって固定される。
【０１５２】
側部８５３は、ＬＥＤパッケージ５３０の光軸５３０ｂｍに対して、両側にそれぞれ形成される。また、側部８５３は、光軸５３０ｂｍに沿って平行に形成される。そして、側部８５３には、波長変換部材９６は設けられていない。この側部８５３は、波長変換部材９６を迂回して、レンズ部材８５の外に光が進行する経路を形成する。
【０１５３】
図２１は、実施形態８の発光部８５０の説明図である。
図２１に示すように、ＬＥＤパッケージ５３０から発せられた青色光は、空間８５Ｃを通って、下端部８５１からレンズ部材８５内に入る。このとき、放射状に拡がるＬＥＤパッケージ５３０の青色光は、空間８５Ｃから空間８５Ｃよりも密度の高いレンズ部材８５に入射する際に、光軸５３０ｂｍ側に向けて屈折する。そして、青色光は、主に光軸５３０ｂｍに沿って進行する。さらに、青色光の一部は、上端部８５２に向かう。その後、この青色光は、波長変換部材９６を通過する。このとき、青色光は、波長変換部材９６によって、赤色光や緑色光に変換される。そして、赤色光および緑色光は、レンズ部材８５および波長変換部材９６から出る。
【０１５４】
また、図２１に示すように、ＬＥＤパッケージ５３０から発せられた青色光のうち、側部８５３に向かう光もある。この側部８５３に向かう光は、波長変換部材９６を通らずに、レンズ部材８５から出ることになる。
【０１５５】
以上のようにして、発光部８５０からは、赤色光、緑色光および青色光が照射される。これら３色の光は、図２０（ａ）に示すように、反射部材９４や第２反射部材９５にて反射する。そして、これらの光は、最終的に、カバー部材６９２を通って収容室２の奥側Ｂに向けて進行する。その後、これらの光は、収容室２内において混合する。その結果、発光部８５０によって、収容室２が白色に照らされる。
【０１５６】
以上のように構成される実施形態８の発光部８５０によっても、収容室２内の全体が明るくなる。また、発光部８５０により、ユーザにとってのまぶしさが低減され、収容室２内の物品１００（図６参照）がさらに見やすくなる。
【０１５７】
なお、側部８５３に微少な凹凸を形成するなどして、側部８５３における光の拡散度を大きくしても良い。そして、側部８５３からの光の取り出し効率を高めるようにしても良い。この場合、例えば、側部８５３の光の拡散度は、波長変換部材９６の光の拡散度と同等にすることができる。
【０１５８】
ここで、実施形態８が適用される照明部８９０では、実施形態７の照明部７５０と同様に、光学効率の低下が抑制される。すなわち、実施形態８においても、青色光は、波長変換部材９６などの光学部材を通さずに、収容室２に向けて照射される。従って、波長変換部材９６を通らずに収容室２に到達した青色光は、フレネル損失などの光エネルギーの損失が抑制される。すなわち、照明部８９０においては、光学効率の低下が抑制される。その結果、例えば収容室２内の明るさ感が向上する。
【０１５９】
また、実施形態８において、波長変換部材９６がレンズ部材７５に固定されることによって、波長変換部材９６が自立保持される。これによって、波長変換部材９６を保持するための保持部材を別途設ける必要がなくなり、部品点数が削減される。
【０１６０】
さらに、実施形態８の照明部８９０は、冷蔵庫１のランプに限定されず、一般的な照明ランプにも適用することができる。その場合には、筐体９１、カバー部材６９２、反射部材９４および第２反射部材９５は必須ではなく、発光部８５０単体を照明として適用することができる。
【０１６１】
なお、実施形態７および実施形態８において、ＬＥＤパッケージ５３０を採用する例を用いているが、光源としては発光半導体チップの単体でも良い。また、実施形態７および実施形態８において、ＬＥＤパッケージ５３０の周囲に空間７５Ｃや空間８５Ｃを形成しているが、空間７５Ｃや空間８５Ｃは、それぞれ必須の構成ではない。ＬＥＤパッケージ５３０や発光半導体チップとの間に隙間が形成されないように、レンズ部材７５やレンズ部材８５を設けるようにしても良い。この場合、隙間が形成されないことで、例えばフレネル損失等の光エネルギーの損失がさらに抑制される。
【０１６２】
＜変形例５＞
次に、実施形態８の発光部８５０の変形例として、変形例５の発光部１０５０について説明する。
図２２は、変形例５が適用される発光部１０５０の説明図である。
図２２に示すように、変形例５の発光部１０５０は、ＬＥＤパッケージ５３０、ＬＥＤパッケージ５３０に対向して設けられるレンズ部材１０５と、基板５４と、波長変換部材９９６とを有する。
なお、発光部１０５０の基本構成は、実施形態８の発光部８５０と同様である。ただし、レンズ部材１０５および波長変換部材９９６の構成が、発光部８５０とは異なる。
【０１６３】
変形例５の発光部１０５０では、レンズ部材１０５の断面は、半円形状に形成される。また、波長変換部材９９６の断面は、円弧形状に形成される。そして、波長変換部材９９６は、レンズ部材１０５に対してＬＥＤパッケージ５３０が設けられる側とは反対側の端部に設けられる。
【０１６４】
詳細には、レンズ部材１０５は、波長変換部材９９６に対向する対向部１０５１を有する。そして、対向部１０５１には、波長変換部材９９６が接着等によって固定される。また、レンズ部材１０５は、ＬＥＤパッケージ５３０からの光を波長変換部材９９６に通過させないで進行させる進行部１０５２を有する。進行部１０５２は、対向部１０５１に隣り合って設けられる。そして、進行部１０５２は、波長変換部材９９６を迂回して、レンズ部材１０５の外に光が進行する経路を形成する。なお、進行部１０５２の表面積は、対向部１０５１の表面積よりも小さい方が良い。
【０１６５】
そして、変形例５の発光部１０５０において、半円形状に形成されるレンズ部材１０５の外周の全てに、波長変換部材９９６を設けていない。つまり、ＬＥＤパッケージ５３０からの光を全て波長変換部材９９６に通過させないようにした。そして、レンズ部材１０５に入射した光の一部は、レンズ部材１０５から直接的に出力する。
【０１６６】
以上のように構成される発光部１０５０を用いても、収容室２内の全体が明るくなる。また、ユーザにとってのまぶしさが低減され、収容室２内の物品１００（図６参照）がさらに見やすくなる。
【０１６７】
なお、実施形態１〜実施形態８、各変形例の照明部を冷蔵庫１に適用する例を用いて説明しているが、冷蔵庫１に適用することに限定されない。実施形態１〜実施形態８、各変形例の照明部は、例えば照明器具などの収容室内を照らす照明として用いることができる。その場合においては、例えば収容室の奥側に向けて光を進行させ、収容室の手前側に向けて進行する光を抑制することは必要がない場合も生じる。このような場合には、収容室の手前側に向けて進行する光を抑制する構成は必須にはならない。
【０１６８】
１…冷蔵庫、２…収容室、４…棚、５０（６０，７０，８０、９０、６９０、７５０、８９０）…照明部、５１…筐体、５２…カバー部材、５３…ＬＥＤ、５４…基板、５５…レンズ部材、６５…レンズ部材、９２…カバー部材、９３…偏光レンズ部材、９４…反射部材、９５…第２反射部材、１６５…反射部材
【図１】
2017106637.tif 000003
【図２】
2017106637.tif 000004
【図３】
2017106637.tif 000005
【図４】
2017106637.tif 000006
【図５】
2017106637.tif 000007
【図６】
2017106637.tif 000008
【図７】
2017106637.tif 000009
【図８】
2017106637.tif 000010
【図９】
2017106637.tif 000011
【図１０】
2017106637.tif 000012
【図１１】
2017106637.tif 000013
【図１２】
2017106637.tif 000014
【図１３】
2017106637.tif 000015
【図１４】
2017106637.tif 000016
【図１５】
2017106637.tif 000017
【図１６】
2017106637.tif 000018
【図１７】
2017106637.tif 000019
【図１８】
2017106637.tif 000020
【図１９】
2017106637.tif 000021
【図２０】
2017106637.tif 000022
【図２１】
2017106637.tif 000023
【図２２】
2017106637.tif 000024